(57)【特許請求の範囲】
【請求項１】
本体部と処理液をろ過するフィルター部とを備え、本体部にピンガイド部および係止部を設け、本体部から出没してフィルター部を押圧する解除ピンをピンガイド部に取付け、
本体部の係止部に係止される被係止部をフィルター部に設け、解除ピンを本体部から突出させてフィルター部を押圧することにより本体部の係止部へのフィルター部の被係止部の係止状態が解除されるように構成したことを特徴とするフィルター装置。
【請求項２】
本体部と処理液をろ過するフィルター部とを備え、本体部に下端側が開口した筒状のフロートガイドを形成し、このフロートガイドの上部にピン突出口を形成し、このフロートガイドに上下動自在に収納されるフロートに液面表示ピンを取付けると共に、この液面表示ピンをフロートガイドのピン突出孔から突出し、さらに本体部に係止部を形成し、
一方、フィルター部にフロートガイドの下端開口部を塞ぐ蓋部を形成し、
フィルター部の蓋部にてフロートガイドの下端開口部を塞いだ時に、本体部の係止部に係止される被係止部をフィルター部に形成し、かつ、フロート側からフィルター部の蓋部が押圧されることにより本体部へのフィルター部の係止状態が解除されるように構成したことを特徴とするフィルター装置。
【発明の詳細な説明】
【０００１】
【産業上の利用分野】
この発明は、写真自動現像装置の現像処理槽内の処理液をろ過するフィルタ装置に関する。
【０００２】
【従来の技術】
写真自動現像装置は、感光材料を順次浸漬して現像処理を行うために現像、漂白、定着、安定等の各種処理液が収容された処理槽を備えている。
これらの処理槽には、処理液の温度や濃度を一定にして安定した現像処理を行うために処理液を循環させる循環経路が設けられ、この循環経路中には処理液の不純物をろ過するためのフィルターが装着されている。
【０００３】
フィルターは長時間使用されると、目詰まりを起こすために定期的にフィルタを交換する必要がある。
ところで、従来のフィルター装置は、図６に示すように、外周面に係止突起６１を有する嵌合部６２を本体部６３に設ける一方、筒状のフィルター６４の上端の内周面に被係止溝６５を設け、フィルター６４の上端を本体部６３の嵌合部６２に嵌め込むと共に、被係止溝６５を係止突起６１に係止させる構成が採用されていた。
【０００４】
【発明が解決しようとする課題】
しかし、かかる従来のフィルター装置では、フィルター６４を交換する際には、本体部６３を持ってフィルター装置を処理槽から引き上げた後、処理液で濡れたフィルター６４を握って本体部６３から引き離さなければならないので、手が汚れ、しかも、処理液で濡れたフィルター６４は握り難いので、本体部６３からのフィルター６４の取り外し作業が面倒なものとなっていた。
【０００５】
本発明は上記課題を解決するために、処理液で濡れたフィルターに全く手を触れることなくフィルターの交換が可能となり、しかも、フィルターを本体部からワンタッチで解除することができるフィルター装置を提供するものである。
【０００６】
【課題を解決するための手段】
請求項１のフィルター装置は、本体部と処理液をろ過するフィルター部とを備え、本体部にピンガイド部および係止部を設け、本体部から出没してフィルター部を押圧する解除ピンをピンガイド部に取付け、本体部の係止部に係止される被係止部をフィルター部に設け、解除ピンを本体部から突出させてフィルター部を押圧することにより本体部の係止部へのフィルター部の被係止部の係止状態が解除されるように構成したことを特徴とするものである。
【０００７】
請求項２のフィルター装置は、本体部と処理液をろ過するフィルター部とを備え、本体部に下端側が開口した筒状のフロートガイドを形成し、このフロートガイドの上部にピン突出口を形成し、このフロートガイドに上下動自在に収納されるフロートに液面表示ピンを取付けると共に、この液面表示ピンをフロートガイドのピン突出孔から突出し、さらに本体部に係止部を形成し、一方、フィルター部にフロートガイドの下端開口部を塞ぐ蓋部を形成し、フィルター部の蓋部にてフロートガイドの下端開口部を塞いだ時に、本体部の係止部に係止される被係止部をフィルター部に形成し、かつ、フロート側からフィルター部の蓋部が押圧されることにより本体部へのフィルター部の係止状態が解除されるように構成したことを特徴とするものである。
【０００８】
【発明の実施の形態】
図１はフィルムの自動現像処理装置Ａを示す斜視図を示しており、この自動現像処理装置Ａの上面には処理槽Ａ２が設けられた現像部を開閉するための扉Ａ１が配設されている。
【０００９】
処理槽Ａ２は、図４に示すように、メインタンクＡ３とサブタンクＡ４から成り、サブタンクＡ４にはフィルター装置１が取付けられるようになっており、そのためにサブタンクＡ４の上蓋Ａ５には、図４及び図５に示すように、取付け孔Ａ６が形成され、また、取付け孔Ａ６の孔縁には、後述するフィルター装置１の突起４ｂに対応して切り欠きＡ６１が形成されている。
【００１０】
処理槽Ａ２内に収容される処理液Ａ８は循環手段Ａ７によって循環し、この循環手段Ａ７は循環ポンプＡ７１と循環パイプＡ７２から成り、循環パイプＡ７２の先部はメインタンクＡ３の底部に配管され、循環パイプＡ７２の基端はサブタンクＡ４の底部に配管している。
【００１１】
フィルター装置１は、処理槽Ａ２のサブタンクＡ４にフィルター１１を装着するものであって、図２に示すように、本体部２の下端にフィルター部３を取り付けて構成されている。
【００１２】
本体部２は、フロートガイド４と取手５から成る。
フロートガイド４は、上端が閉塞し、かつ下端が開口した円筒体にて形成されており、フロート６の上下動をガイドするものである。
このフロートガイド４の閉塞部７の中央にはピン突出孔８が設けられ、このピン突出孔８の孔縁から上方に向けて小径筒状の取手５が延設されている。また、フロートガイド４には処理液Ａ８が流入・流出するための処理液入出口４ａが設けられている。
【００１３】
フロートガイド４の下端部には、図２に示すように、フィルター部３と嵌合する嵌合部４１が形成されており、この嵌合部４１の外周面には係止突起（係止部）４１ａが形成されている。
一方、フロートガイド４の上端部の外周面には突起４ｂ及び外鍔４ｃが形成されており、また、突起４ｂはフロートガイド４の周方向に一定間隔で複数突設されており、外鍔４ｃと突起４ｂとはサブタンクＡ４の上蓋Ａ５の取付け孔Ａ６の孔縁の厚み分だけ離間して配設されている。
【００１４】
フロートガイド４内には処理槽Ａ２の液面を測るためのフロート６が収容されている。
１０は液面表示ピンであって、この液面表示ピン１０の外径はフロートガイド４のピン突出孔８及び取手５のそれぞれの内径よりも小さく、液面表示ピン１０の下端にはフロート６が取付けられている。
【００１５】
液面表示ピン１０はフロートガイド４のピン突出孔８及び取手５内に遊嵌されており、液面表示ピン１０の突出部１０ａは取手５の上端から突出している。
また、液面表示ピン１０の突出部１０ａ外周には、液面位置を表示するための表示部（図示省略）が付けられており、液面表示ピン１０の突出長によって液面位置を確認することができるようになっている。
【００１６】
液面表示ピン１０の長さは、フロート６が下限位置まで下がって、後述のフィルター部３の蓋体１６に当たった時でも、液面表示ピン１０の上端は取手５から突出するように設定されている。
【００１７】
１０ｂは液面表示ピン１０の上端に設けられたストッパーであって、このストッパー１０ｂが取手５の上端に当たった時には、液面表示ピン１０の下端はフロート６とともにフロートガイド４の嵌合部４１から下方に突出する。
【００１８】
フィルター部３は、コア部１２に多孔質で円筒状のフィルター１１を取り付けて構成されている。
コア部１２のコア本体１３は、多数の孔１３ａを有する円筒状に形成され、コア本体１３の上端部にはフロートガイド４の嵌合部４１と嵌合するコア嵌合部１４が設けられており、このコア嵌合部１４の内径はフロートガイド４の嵌合部４１の外径と略同じ大きさに形成されている。
【００１９】
コア部１２のコア嵌合部１４の内周面には係止溝（被係止部）１４ａが形成されており、また、コア嵌合部１４とコア本体１３の境目部は蓋体１６にて仕切られている。
また、コア本体１３の下端には循環パイプＡ７２に差し込むための小径部１５を設けて形成されている。
【００２０】
なお、コア本体１３の外周にはフィルター１１の上端及び下端を係止してフィルター１１を保持するための保持部１７，１８が形成されている。
【００２１】
そして、本体部２のフロートガイド４の嵌合部４１にフィルター部３のコア部１２のコア嵌合部１４を嵌め込むと共に、係止突起４１ａに係止溝１４ａを係止させることにより、本体部２とフィルター部３とを一体化させるものである。
【００２２】
フィルター装置１を処理槽Ａ２のサブタンクＡ４の上蓋Ａ５に取付ける場合には、まず、フィルター装置１の取手５を手で持ち、フィルター装置１の突起４ｂと上蓋Ａ５の取付け孔Ａ６の切り欠きＡ６１とを合致させた状態で、フィルター部３及び本体部２を上蓋Ａ５の取付け孔Ａ６からサブタンクＡ４内に挿入し、上蓋Ａ５の切り欠きＡ６１内にフィルター装置１の突起４ｂを通し、フィルター装置１の外鍔４ｃを上蓋Ａ５の取付け孔Ａ６の孔縁部に係当させると共にフィルター装置１の突起４ｂを上蓋Ａ５の裏側に位置させる。次に、フィルター装置１を上蓋Ａ５の取付け孔Ａ６内で回転させて上蓋Ａ５の切り欠きＡ６１とフィルター装置１の突起４ｂとの位置をずらせてフィルター装置１の抜け止めを行う。
【００２３】
図４は、フィルター装置１を処理槽Ａ２のサブタンクＡ４の上蓋Ａ５に取付けてフィルター装置１のフィルター１１をサブタンクＡ４にセットした状態を示しており、フィルター部３の小径部１５はサブタンクＡ４の底面に開口した循環パイプＡ７２内に差し込まれている。
そして、循環ポンプＡ７１の作動によって処理槽Ａ２内の処理液Ａ８がサブタンクＡ４内に流れ込むと、フィルター１１に浸透してろ過された処理液Ａ８はコア部１２の孔１３ａを通ってコア部１２内に吸い込まれ、コア部１２の小径部１５に接続された循環パイプＡ７２を通って再びメインタンクＡ３に流れ込んで、処理液Ａ８の循環が行われる。
【００２４】
また、フロートガイド４にも処理液入出口４ａから処理液Ａ８が流れ込んでフロート６は処理液Ａ８の液面のレベルまで上昇する。それと共に、液面表示ピン１０が上昇し、取手５の上端を指標として突出部１０ａの表示部によって液面位置が表示される。
一方、処理液Ａ８の液面が下がると、フロートガイド４内の処理液Ａ８の液面も下がってフロート６は降下し、液面表示ピン１０の突出部１０ａの突出長が短くなる。
【００２５】
次に、フィルター交換について説明する。
まず、本体部２の取手５を手で持ち、フィルター装置１のサブタンクＡ４へのセット動作とは逆の動作を行って、フィルター装置１をサブタンクＡ４の上蓋Ａ５の取付け孔Ａ６から引き抜いてフィルター部３を処理液Ａ８から引き上げる。
【００２６】
この時、フロート６はフィルター部３の蓋体１６まで下がっているが、液面表示ピン１０は本体部２の取手５から突出している。
【００２７】
次に、本体部２の取手５から突出する液面表示ピン１０を押し下げると、液面表示ピン１０の下端部によってフィルター部３が押圧されて本体部２の係止突起４１ａからフィルター部３の係止溝１４ａが外れ、本体部２からフィルター部３が分離する。
この間、フィルター部３には一切手を触れる必要はないので、処理液Ａ８が手に付くことがない。
【００２８】
次に、新しいフィルター部３を本体部２に接続する。接続作業の際には、処理液Ａ８がついていない新しいフィルター部３を持って本体部２の嵌合部４１にフィルター部３のコア嵌合部１４を嵌合すると共に、本体部２の係止突起４１ａにフィルター部３の係止溝１４ａを係止する。
この時、液面表示ピン１０及びフロート６はフィルター部３によってフロートガイド３内に押し戻される。
【００２９】
なお、以上の実施例では、ピンガイド部として筒状の取手５及びフロートガイド４を採用し、解除ピンとして液面表示ピン１０を採用したが、フィルター装置１はかかる構成のものに限定されないのは勿論のことである。
【００３０】
【発明の効果】
上記説明からも明らかなように、請求項１のフィルター装置によると、フィルターを交換する際に、手等の身体に処理液が付くことがない。しかも、解除ピンを押すだけでフィルター部を本体部から解除することができるので、フィルターの交換が容易となる。
【００３１】
また、請求項２のフィルター装置によれば、フィルターの交換作業の際に処理液が身体に付くことがないのは勿論のこと、処理槽内の処理液の液面の上下変動を液面表示ピンを介して間接的に確認することができるので、処理液の液面の確認作業が容易となり、また、フィルター装置にフロート装置を形成することにより、液面確認手段専用の設置スペースを確保する必要がなく、処理槽の小型化が図れる。
【図面の簡単な説明】
【図１】自動現像処理装置の斜視図
【図２】本発明のフィルター装置の実施例を示す断面図
【図３】同実施例のフィルター装置の本体部からフィルター部を分離した状態を示す断面図
【図４】同実施例のフィルター装置を自動現像処理装置の処理槽に取付けた状態を示す断面図
【図５】同実施例のフィルター装置の自動現像処理装置の処理槽への取付け動作を示す斜視図
【図６】従来例を示す斜視図
【符号の説明】
１        フィルター装置
２        本体部
３        フィルター部
４        フロートガイド（ピンガイド）
４ａ      処理液入出口
５        取手（ピンガイド）
６        フロート
８        ピン突出孔
１０      液面表示ピン（解除ピン）
１４ａ    係止溝（被係止部）
４１ａ    係止突起（係止部）
【図１】
0003551615.tif 000002
【図２】
0003551615.tif 000003
【図３】
0003551615.tif 000004
【図４】
0003551615.tif 000005
【図５】
0003551615.tif 000006
【図６】
0003551615.tif 000007